(57)【特許請求の範囲】
【請求項１】
移動通信システムにおける基地局の制御情報伝送方法において、
端末からスケジューリング情報を獲得する段階と、
少なくとも２つの制御チャネルの各々が、互いに異なるダウンリンクキャリアを通じて伝送されるか、又は１つのダウンリンクキャリアを通じて伝送されるかを指示する制御情報を伝送する段階と、
少なくとも１つのダウンリンクキャリアを通じて少なくとも２つ以上の制御チャネルを伝送する段階と、を含み、
前記制御チャネルの各々は、各々が異なるアップリンクキャリアに相当し、
前記スケジューリング情報は、バッファーにある送信のためのデータの量から構成されることを特徴とする基地局の制御情報伝送方法。
【請求項２】
前記制御チャネルの各々は、前記アップリンクキャリアに対する識別情報を含むことを特徴とする請求項１に記載の基地局の制御情報伝送方法。
【請求項３】
複数のアップリンクキャリア使用可否を含む制御情報を前記端末に伝送する段階をさらに含むことを特徴とする請求項２に記載の基地局の制御情報伝送方法。
【請求項４】
前記制御チャネルは、スケジューリンググラント（ｇｒａｎｔ）または再伝送情報に関するものであることを特徴とする請求項３に記載の基地局の制御情報伝送方法。
【請求項５】
前記制御チャネルが伝送されるキャリアの位置を含む情報を前記端末に伝送する段階をさらに含むことを特徴とする請求項１に記載の基地局の制御情報伝送方法。
【請求項６】
前記制御チャネルが伝送されないキャリアは、前記制御チャネルが伝送されるキャリアを通じて制御情報を獲得する段階をさらに含むことを特徴とする請求項５に記載の基地局の制御情報伝送方法。
【請求項７】
移動通信システムにおける端末の制御情報受信方法において、
スケジューリング情報を基地局に伝送する段階と、
少なくとも２つの制御チャネルの各々が、互いに異なるダウンリンクキャリアを通じて伝送されるか、又は１つのダウンリンクキャリアを通じて伝送されるかを指示する制御情報を前記基地局から受信する段階と、
前記基地局から１つのダウンリンクキャリアを通じて少なくとも２つ以上の制御チャネルを受信する段階と、を含み、
前記制御チャネルの各々は、異なるアップリンクキャリアに相当し、
前記スケジューリング情報は、バッファーにある送信のためのデータの量から構成されることを特徴とする端末の制御情報受信方法。
【請求項８】
前記制御チャネルの各々は、前記アップリンクキャリアに関する識別情報を含むことを特徴とする請求項７に記載の端末の制御情報受信方法。
【請求項９】
複数のアップリンクキャリア使用可否を含む制御情報を前記基地局から受信する段階をさらに含むことを特徴とする請求項８に記載の端末の制御情報受信方法。
【請求項１０】
前記制御チャネルは、スケジューリンググラント（ｇｒａｎｔ）または再伝送情報に関するものであることを特徴とする請求項９に記載の端末の制御情報受信方法。
【請求項１１】
前記制御チャネルが伝送されるキャリアの位置を含む情報を前記基地局から受信する段階をさらに含むことを特徴とする請求項７に記載の端末の制御情報受信方法。
【請求項１２】
前記制御チャネルが伝送されないキャリアは、前記制御チャネルが伝送されるキャリアを通じて制御情報を獲得する段階をさらに含むことを特徴とする請求項１１に記載の端末の制御情報受信方法。
【請求項１３】
移動通信システムにおける制御情報を伝送する基地局において、
端末から受信したスケジューリング情報を利用してスケジューリングを行うスケジューラと、
少なくとも２つの制御チャネルの各々が、互いに異なるダウンリンクキャリアを通じて伝送されるか、又は１つのダウンリンクキャリアを通じて伝送されるかを指示する制御情報を伝送するように制御し、１つのダウンリンクキャリアを通じて少なくとも２つ以上の制御チャネルを伝送するように制御する制御情報処理モジュールと、
を含み、
前記制御チャネルの各々は、異なるアップリンクキャリアに相当し、
前記スケジューリング情報は、バッファーにある送信のためのデータの量から構成されることを特徴とする基地局。
【請求項１４】
前記制御チャネルの各々は、前記アップリンクキャリアに関する識別情報を含むことを特徴とする請求項１３に記載の基地局。
【請求項１５】
前記スケジューリング結果によって複数のアップリンクキャリア使用可否を決定する制御器と、
前記決定された複数のアップリンクキャリア使用可否を含む制御情報を生成し伝送する制御チャネル伝送資源処理モジュールと、をさらに含むことを特徴とする請求項１４に記載の基地局。
【請求項１６】
前記制御チャネルは、スケジューリンググラント（ｇｒａｎｔ）または再伝送情報に関するものであることを特徴とする請求項１５に記載の基地局。
【請求項１７】
前記制御チャネル伝送資源処理モジュールは、
前記制御チャネルが伝送されるキャリアの位置を含む情報を前記端末に伝送するように制御することを特徴とする請求項１３に記載の基地局。
【請求項１８】
前記制御チャネルが伝送されないキャリアは、前記制御チャネルが伝送されるキャリアを通じて制御情報を獲得することを特徴とする請求項１７に記載の基地局。
【請求項１９】
移動通信システムにおける制御情報を受信する端末において、
スケジューリング情報を基地局に伝送するように制御する制御器と、
前記基地局から、少なくとも２つの制御チャネルの各々が、互いに異なるダウンリンクキャリアを通じて伝送されるか、又は１つのダウンリンクキャリアを通じて伝送されるかを指示する制御情報を受信し、前記基地局から１つのダウンリンクキャリアを通じて少なくとも２つ以上の制御チャネルを受信する制御情報受信モジュールと、を含み、
前記制御チャネルの各々は、異なるアップリンクキャリアに相当し、
前記スケジューリング情報は、バッファーにある送信のためのデータの量から構成されることを特徴とする端末。
【請求項２０】
前記制御チャネルの各々は、前記アップリンクキャリアに関する識別情報を含むことを特徴とする請求項１９に記載の端末。
【請求項２１】
複数のアップリンクキャリア使用可否を含む制御情報を前記基地局から受信する制御チャネル伝送資源受信モジュールをさらに含むことを特徴とする請求項２０に記載の基地局。
【請求項２２】
前記制御チャネルは、スケジューリンググラント（ｇｒａｎｔ）または再伝送情報に関するものであることを特徴とする請求項２１に記載の端末。
【請求項２３】
前記制御チャネル伝送資源受信モジュールは、
前記制御チャネルが伝送されるキャリアの位置を含む情報を前記基地局から受信することを特徴とする請求項１９に記載の端末。
【請求項２４】
前記制御チャネルが伝送されないキャリアは、前記制御チャネルが伝送されるキャリアを通じて制御情報を獲得することを特徴とする請求項２３に記載の端末。
【発明の詳細な説明】
【技術分野】
【０００１】
本発明は、移動通信システムにおける制御情報送受信方法及び装置に関し、特に、移動通信システムに伝送資源の余裕によって複数のキャリアを活用して制御情報を送受信する方法及び装置に関する。
【背景技術】
【０００２】
本発明は、セルラー符号分割多重接続（Ｃｏｄｅ  Ｄｉｖｉｓｉｏｎ  Ｍｕｌｔｉｐｌｅ  Ａｃｃｅｓｓ：ＣＤＭＡ）通信システムに関し、特に複数のキャリアを通じて拡張されたアップリンク伝送チャネル（Ｅｎｈａｎｃｅｄ  Ｕｐｌｉｎｋ  Ｄｅｄｉｃａｔｅｄ  ｔｒａｎｓｐｏｒｔ  Ｃｈａｎｎｅｌ）を使用してパケットデータを伝送する状況を仮定する。
【０００３】
ヨーロッパ式移動通信システムであるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）とＧＰＲＳ（Ｇｅｎｅｒａｌ  Ｐａｃｋｅｔ  Ｒａｄｉｏ  Ｓｅｒｖｉｃｅｓ）を基盤として広帯域（Ｗｉｄｅｂａｎｄ）符号分割多重接続（Ｃｏｄｅ  Ｄｉｖｉｓｉｏｎ  Ｍｕｌｔｉｐｌｅ  Ａｃｃｅｓｓ：以下、ＣＤＭＡという）を使用する第３世代移動通信システムであるＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）システムは、移動電話やコンピュータユーザが全世界どこにいてもパケット基盤のテキスト、デジタル化した音声やビデオ及びマルチメディアデータを２Ｍｂｐｓ以上の高速で伝送することができる一貫したサービスを提供する。
【０００４】
特に、ＵＭＴＳシステムでは、ユーザ端末（Ｕｓｅｒ  Ｅｑｕｉｐｍｅｎｔ：ＵＥ）から基地局（Ｂａｓｅ  Ｓｔａｔｉｏｎ：ＢＳ、Ｎｏｄｅ Ｂ）への逆方向、すなわちアップリンク（Ｕｐｌｉｎｋ：ＵＬ）通信においてパケット伝送の性能をさらに向上させることができるように、拡張されたアップリンク専用チャネル（Ｅｎｈａｎｃｅｄ  Ｕｐｌｉｎｋ  Ｄｅｄｉｃａｔｅｄ  Ｃｈａｎｎｅｌ：以下、ＥＵＤＣＨまたはＥ−ＤＣＨという）という伝送チャネルを使用する。Ｅ−ＤＣＨは、より安定した高速のデータ伝送をサポートするために、適応的変調／符号化（Ａｄａｐｔｉｖｅ  Ｍｏｄｕｌａｔｉｏｎ  ａｎｄ  Ｃｏｄｉｎｇ：ＡＭＣ）、複合自動再伝送要求（Ｈｙｂｒｉｄ  Ａｕｔｏｍａｔｉｃ  Ｒｅｔｒａｎｓｍｉｓｓｉｏｎ  Ｒｅｑｕｅｓｔ：ＨＡＲＱ）、基地局制御スケジューリング、短いＴＴＩ（Ｓｈｏｒｔｅｒ  Ｔｒａｎｓｍｉｓｓｉｏｎ  Ｔｉｍｅ  Ｉｎｔｅｒｖａｌ）サイズなどの技術などをサポートする。
【０００５】
ＡＭＣは、基地局と端末との間のチャネル状態によってデータチャネルの変調方式とコーディング方式を決定し、資源の使用効率を高める技術である。変調方式とコーディング方式の組合は、ＭＣＳ（Ｍｏｄｕｌａｔｉｏｎ  ａｎｄ  Ｃｏｄｉｎｇ  Ｓｃｈｅｍｅ）と言い、サポート可能な変調方式とコーディング方式によって様々なＭＣＳレベルの定義が可能である。ＡＭＣは、ＭＣＳのレベルを端末と基地局との間のチャネル状態によって適応的に決定し、資源の使用効率を高める。
【０００６】
ＨＡＲＱは、初期に伝送されたデータパケットにエラーが発生した場合、前記エラーパケットを補償するためにパケットを再伝送する技法を意味する。複合再伝送技法は、エラー発生時に、最初伝送時と同一のフォーマットのパケットを再伝送するチェース合成（Ｃｈａｓｅ  Ｃｏｍｂｉｎｉｎｇ：以下、ＣＣという）と、エラー発生時に最初伝送時と異なるフォーマットのパケットを再伝送する増分冗長（Ｉｎｃｒｅｍｅｎｔａｌ  Ｒｅｄｕｎｄａｎｃｙ：以下ＩＲと称する）とに区分することができる。
【０００７】
基地局制御スケジューリングは、Ｅ−ＤＣＨを利用してデータを伝送する場合、アップリンクデータの伝送可否及び可能なデータレートの上限値などを基地局により決定し、前記決定された情報をスケジューリング命令として端末に伝送すれば、端末が前記スケジューリング命令を参照して可能なアップリンクＥ−ＤＣＨのデータ伝送率を決定して伝送する方式を意味する。
【０００８】
短いＴＴＩサイズは、現在Ｒｅｌ５の最小ＴＴＩである１０ｍｓより小さいＴＴＩを許容することによって、再伝送遅延時間を低減し、結果的に、高いシステムスループットを可能にする。
【０００９】
上記のように、Ｅ−ＤＣＨを使用するシステムあるいはサービスをＨＳＵＰＡ（Ｈｉｇｈ  Ｓｐｅｅｄ  Ｐａｃｋｅｔ  Ａｃｃｅｓｓ）と呼ぶ。
【００１０】
図１は、典型的な無線通信システムでＥ−ＤＣＨを通じたアップリンクパケット伝送を説明する図である。ここで、参照符号１００は、Ｅ−ＤＣＨをサポートする基地局、すなわちＮｏｄｅ Ｂを示し（以下、基地局とｎｏｄｅ Ｂは、混用して同じ意味として使用する）、参照符号１０１、１０２、１０３、１０４は、Ｅ−ＤＣＨを使用している端末を示す。図示のように、前記端末１０１〜１０４は、各々Ｅ−ＤＣＨ １１１、１１２、１１３、１１４を通じて基地局１００にデータを伝送する。
【００１１】
前記基地局１００は、Ｅ−ＤＣＨを使用する端末１０１〜１０４のデータバッファー状態、要請データ伝送率あるいはチャネル状況情報を活用して、各端末別にＥＵＤＣＨデータ伝送可否を通知するか、あるいはＥＵＤＣＨデータ伝送率を調整するスケジューリング動作を行う。スケジューリングは、システム全体の性能を高めるために、基地局の測定雑音増加（Ｎｏｉｓｅ  ＲｉｓｅまたはＲｉｓｅ  ｏｖｅｒ  ｔｈｅｒｍａｌ：ＲｏＴ、以下、“ＲｏＴ”という）値が目標値を超えないようにしつつ、基地局から遠くにある端末（例えば、１０３、１０４）には、低いデータ伝送率を割り当て、近くにある端末（例えば１０１、１０２）には、高いデータ伝送率を割り当てる方式で行われる。端末１０１〜１０４は、前記スケジューリング情報によってＥ−ＤＣＨデータの最大許容データ伝送率を決定し、前記最大許容データ伝送率内でＥ−ＤＣＨデータ伝送率を決定し、Ｅ−ＤＣＨデータを伝送する。
【００１２】
アップリンクで、互いに異なる端末が送信したアップリンク信号は、相互間に同期が維持されないため、直交性がなく、相互間に干渉として作用するようになる。これにより、基地局が受信するアップリンク信号が多くなるほど、特定端末のアップリンク信号に対する干渉の量も多くなり、受信性能が低下する。これを克服するために、前記特定端末のアップリンク送信電力を大きくすることもできるが、これは、他のアップリンク信号に対して干渉として作用し、受信性能を低下させる。結局、基地局が受信性能を保証しつつ受信することができるアップリンク信号の全体電力は制限される。ＲｏＴ（Ｒｉｓｅ  Ｏｖｅｒ  Ｔｈｅｒｍａｌ）は、基地局がアップリンクで使用する無線資源を示し、下記数式１のように定義される。
［数式１］
ＲＯＴ＝Ｉ＿０／Ｎ＿０
【００１３】
上記で、Ｉ＿０は、基地局の全体受信帯域に対する電力スペクトル密度（ｐｏｗｅｒ  ｓｐｅｃｔｒａｌ  ｄｅｎｓｉｔｙ）であって、基地局が受信する全体アップリンク信号の量を示す。Ｎ＿０は、基地局の熱雑音電力スペクトル密度である。したがって、許容される最大ＲＯＴは、基地局がアップリンクで使用することができる全体無線資源である。
【００１４】
基地局の全体ＲＯＴは、セル間の干渉、音声トラフィック、そしてＥ−ＤＣＨトラフィックの和で示される。基地局制御スケジューリングを使用すれば、複数の端末が同時に高いデータ伝送率のパケットを伝送する現象を防止することができ、受信ＲＯＴを目標（ｔａｒｇｅｔ）ＲＯＴに維持し、受信性能を常に保証することができる。すなわち、基地局制御スケジューリングは、特定端末に高いデータ伝送率を許容する場合には、他の端末には高いデータ伝送率を許容しないことによって、受信ＲＯＴが目標ＲＯＴ以上に増加する現象を防止する。
【００１５】
図２は、典型的なＥ−ＤＣＨを通じた送受信手続を示す流れ図である。
図２を参照すれば、基地局と端末は、２０２段階で、Ｅ−ＤＣＨを設定する。前記２０２段階の設定過程は、専用伝送チャネル（ｄｅｄｉｃａｔｅｄ  ｔｒａｎｓｐｏｒｔ  ｃｈａｎｎｅｌ）を通じたメッセージの伝達過程を含む。Ｅ−ＤＣＨの設定が行われれば、端末は、２０４段階で、基地局にスケジューリング情報を通知する。前記スケジューリング情報は、逆方向チャネル情報を示す端末送信電力情報、端末が送信することができる余分の電力情報、端末のバッファーに積もっている送信すべきデータの量などになることができる。
【００１６】
通信中の複数の端末からスケジューリング情報を受信した基地局は、２０６段階で、各端末のデータ伝送をスケジューリングするために、前記複数の端末のスケジューリング情報をモニタリングする。具体的に、基地局は、２０８段階で、端末に逆方向パケット伝送を許容することに決定し、端末にスケジューリング命令を伝送する。
【００１７】
前記スケジューリング命令は、端末に最大許容可能なデータレートの増加／維持／減少をＲＧ（ｒｅｌａｔｉｖｅ  ｇｒａｎｔ）命令を通じて指示することができる。または、スケジューリング命令は、最大許容可能なデータレートと伝送が許容されたタイミングを含むＡＧ（Ａｂｓｏｌｕｔｅ  ｇｒａｎｔ）命令を通じて指示することができる。前記ＲＧ命令を伝送するダウンリンク物理チャネルをＥ−ＲＧＣＨ（Ｅ−ＤＣＨ  Ｒｅｌａｔｉｖｅ  Ｇｒａｎｔ  Ｃｈａｎｎｅｌ）と言い、ＡＧ命令を伝送するダウンリンク物理チャネルをＥ−ＡＧＣＨ（Ｅ−ＤＣＨ  Ａｂｓｏｌｕｔｅ  Ｇｒａｎｔ  Ｃｈａｎｎｅｌ）と言う。
【００１８】
端末は、２１０段階で、前記スケジューリング命令を利用して逆方向に伝送するＥ−ＤＣＨの伝送形式（Ｔｒａｎｓｐｏｒｔ  ｆｏｒｍａｔ：ＴＦ）を決定し、２１２及び２１４段階で、Ｅ−ＤＣＨを通じて逆方向（ＵＬ）パケットデータを伝送すると同時に、前記ＴＦ情報を基地局に伝送する。ここで、前記ＴＦ情報は、Ｅ−ＤＣＨを復調するのに必要な資源情報を示す伝送形式資源指示子（Ｔｒａｎｓｐｏｒｔ  Ｆｏｒｍａｔ  Ｒｅｓｏｕｒｃｅ  Ｉｎｄｉｃａｔｏｒ：以下、ＴＦＲＩという）を含む。この際、前記２１４段階で、端末は、基地局から割り当てられた最大許容可能なデータレートとチャネル状態を考慮してＭＣＳレベルを選択し、前記ＭＣＳレベルを使って前記逆方向パケットデータを伝送する。
【００１９】
基地局は、２１６段階で、前記ＴＦ情報と前記パケットデータにエラーがあるか否かを判断する。前記２１６段階の判断結果、いずれか１つでもエラーが現われた場合、基地局は、２１８段階で、ＮＡＣＫ（Ｎｅｇａｔｉｖｅ  Ａｃｋｎｏｗｌｅｄｇｅ、否定的認知情報）を端末に伝送する。一方、前記２１６段階の判断結果、いずれもエラーがない場合は、基地局は、２１８段階で、ＡＣＫ（Ａｃｋｎｏｗｌｅｄｇｅ、認知情報）をＡＣＫ／ＮＡＣＫチャネルを通じて端末に伝送する。ＡＣＫ情報が伝送される場合、パケットデータの伝送が完了し、端末は、新しいユーザデータをＥ−ＤＣＨを通じて伝送するが、ＮＡＣＫ情報が伝送される場合、端末は、同じ内容のパケットデータをＥ−ＤＣＨを通じて再伝送する。ここで、前記ＡＣＫ／ＮＡＣＫが伝送されるダウンリンク物理チャネルをＥ−ＨＩＣＨ（Ｅ−ＤＣＨ  ＨＡＲＱ  Ｉｎｄｉｃａｔｏｒ  Ｃｈａｎｎｅｌ）と言う。
【先行技術文献】
【特許文献】
【００２０】
【特許文献１】韓国特許出願公開第１０−２００４−００７５５８３号公報
【特許文献２】欧州特許出願公開第１９０１４５１号明細書
【発明の概要】
【発明が解決しようとする課題】
【００２１】
前述のような環境で、基地局がスケジューリングを効率的に行うためには、端末のバッファー状態とパワー状態のような情報を端末から伝達されることができれば、基地局は、遠くにある端末またはチャネル状況が良くない端末、サービスしようとするデータの優先順位が低い端末に、低いデータレートを割り当てるか、または近くにある端末またはチャネル状況が良いかまたはサービスしようとするデータの優先順位が高い端末に高いデータレートを割り当てることができ、システム全体の性能を高めることができる。
【００２２】
前述のように動作する既存のＨＳＵＰＡシステムのシステム性能を追加的に向上させるために、アップリンクで２個のキャリア（アップリンクキャリア＃１、アップリンクキャリア＃２）、そしてダウンリンクで２個のキャリア（ダウンリンクキャリア＃１、ダウンリンクキャリア＃２）を組み合わせて運用するＤＣ（Ｄｕａｌ  ｃａｒｒｉｅｒあるいはＤｕａｌ  ｃｅｌｌ）−ＨＳＵＰＡが論議されている。各々のキャリアは、既存のＵＭＴＳシステムの５ＭＨｚ帯域幅に該当するので、ＤＣ−ＨＳＵＰＡシステムは、アップリンクで１０ＭＨｚ、ダウンリンクで１０ＭＨｚ帯域幅を各々サポートする。
【００２３】
本発明は、ＤＣ−ＨＳＵＰＡシステムでダウンリンクシグナリングオーバーヘッド及び特定キャリアにシグナリング過負荷が発生する場合を防止するための方法及び装置を提供する。
【課題を解決するための手段】
【００２４】
本発明は、前述したような従来の問題点に鑑みてなされてもので、その目的は、ＤＣ−ＨＳＵＰＡシステムでダウンリンクシグナリングが特定のダウンリンクキャリアに集中し、過負荷が発生する場合を防止し、シグナリングオーバーヘッドを減少させることができる制御情報送受信方法及び装置を提供することにある。
【００２５】
本発明の一態様による移動通信システムにおける基地局の制御情報伝送方法は、端末からスケジューリング情報を獲得する段階と、１つのダウンリンクキャリアを通じて少なくとも２つ以上の制御チャネルを伝送する段階とを含み、前記制御チャネルの各々は、異なるアップリンクキャリアに相当することを特徴とする。
【００２６】
また、本発明の他の態様による移動通信システムにおける端末の制御情報受信方法は、スケジューリング情報を基地局に伝送する段階と、前記基地局から１つのダウンリンクキャリアを通じて少なくとも２つ以上の制御チャネルを受信する段階とを含み、前記制御チャネルの各々は、異なるアップリンクキャリアに相当することを特徴とする。
【００２７】
また、本発明のさらに他の態様による移動通信システムにおける制御情報を伝送する基地局は、端末から受信したスケジューリング情報を利用してスケジューリングを行うスケジューラと、１つのダウンリンクキャリアを通じて少なくとも２つ以上の制御チャネルを伝送するように制御する制御情報処理モジュールとを含み、前記制御チャネルの各々は、異なるアップリンクキャリアに相当することを特徴とする。
【００２８】
また、本発明のさらに他の態様による移動通信システムにおける制御情報を受信する端末は、スケジューリング情報を基地局に伝送するように制御する制御器と、前記基地局から１つのダウンリンクキャリアを通じて少なくとも２つ以上の制御チャネルを受信する制御情報受信モジュールとを含み、前記制御チャネルの各々は、異なるアップリンクキャリアに相当することを特徴とする。
【発明の効果】
【００２９】
以上で詳細に説明したように動作する本発明において、開示される発明のうち代表的なものによって得られる効果を簡単に説明すれば、次の通りである。前述したような本発明は、ＤＣ−ＨＳＵＰＡシステムでダウンリンクシグナリングが特定のダウンリンクキャリアに集中し、過負荷が発生する場合を防止することができ、シグナリングオーバーヘッドを減少させることができるという効果がある。これにより、移動通信システムの性能を向上させることができる利点がある。
【図面の簡単な説明】
【００３０】
【図１】典型的な無線通信システムでＥ−ＤＣＨを通じたアップリンクパケット伝送を説明する図である。
【図２】典型的なＥ−ＤＣＨを通じた送受信手続を示すメッセージ流れ図である。
【図３】ＤＣ−ＨＳＵＰＡシステムでダウンリンク資源運用の非効率的な使用例を示す図である。
【図４】本発明の実施例による制御チャネルが伝送されるダウンリンク伝送資源を説明するための図である。
【図５】本発明の実施例による基地局の制御情報伝送方法を説明するための流れ図である。
【図６】本発明の実施例による端末の制御情報受信方法を説明するための流れ図である。
【図７】本発明の実施例による基地局の制御情報伝送装置を説明するための図である。
【図８】本発明の実施例による端末の制御情報受信装置を説明するための図である。
【発明を実施するための形態】
【００３１】
以下、添付の図面を参照して本発明の好ましい実施例に対する動作原理を詳細に説明する。下記で、本発明を説明するにあたって、関連された公知機能または構成に対する具体的な説明が本発明の要旨を不明瞭にすることができると判断される場合には、その詳細な説明を省略する。なお、後述する用語は、本発明での機能を考慮して定義された用語であって、これは、ユーザ、運用者の意図または慣例などによって変わることができる。したがって、その定義は、本明細書全般にわたった内容に基づいて下ろされなければならない。
【００３２】
後述する本発明は、ＵＭＴＳ通信システムでＥ−ＤＣＨが複数のアップリンクキャリアに適用されるシステム、特に２個のアップリンクキャリアと２個のダウンリンクキャリアが運用されるＤＣ−ＨＳＵＰＡシステムに関する。具体的に、ＤＣ−ＨＳＵＰＡシステムをサポートするためのダウンリンク制御チャネルを伝送する方法を本発明の好ましい実施例により説明する。しかし、後述する用語は、本発明での機能を考慮して定義された用語であって、これは、ユーザ、運用者の意図または慣例などによって変わることができる。したがって、その定義は、本明細書全般にわたった内容に基づいて下ろされなければならない。したがって、前述したように、以下では、ＤＣ−ＨＳＵＰＡシステムを例示し、本発明の具体的な内容を説明するが、必ず前記システムにのみ限定されるものではなく、複数の周波数帯域を利用して高速データサービスをサポートする移動通信システムに適用可能であることは自明である。言い換えれば、本発明の実施例は、進化した高速無線データ通信標準であるＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）などの移動通信システムにも適用されることができる。
【００３３】
また、１個のアップリンクキャリアを使用する既存のＨＳＵＰＡシステムを前記ＤＣ−ＨＳＵＰＡと区分するためにＳＣ（ｓｉｎｇｌｅ  ｃｅｌｌあるいはｓｉｎｇｌｅ  ｃａｒｒｉｅｒ）−ＨＳＵＰＡと呼ぶ。ＳＣ−ＨＳＵＰＡをサポートするためのダウンリンク制御チャネルとしては、スケジューリンググラント（ｇｒａｎｔ）に対するＥ−ＡＧＣＨ、Ｅ−ＲＧＣＨ及び再伝送に対するＥ−ＨＩＣＨなどがある。前述したダウンリンク制御チャネルは、対応するアップリンクキャリアに特定（ｓｐｅｃｉｆｉｃ）することができ、このための識別情報を含むことができる。
【００３４】
もし本発明がＬＴＥまたはＬＴＥ−Ａシステムに適用されれば、ＨＳＵＰＡのＥ−ＡＧＣＨとＥ−ＲＧＣＨは、ＬＴＥ（またはＬＴＥ−Ａ）のＰＤＣＣＨ（Ｐｈｙｓｉｃａｌ  Ｄｏｗｎｌｉｎｋ  Ｃｏｎｔｒｏｌ  Ｃｈａｎｎｅｌ）に対応し、ＨＳＵＰＡのＥ−ＨＩＣＨは、ＬＴＥ（またはＬＴＥ−Ａ）のＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）に対応することができる。
【００３５】
Ｅ−ＡＧＣＨは、拡散指数（ｓｐｒｅａｄｉｎｇ  ｆａｃｔｏｒ；ＳＦ）２５６のチャネライゼーションコード（ｃｈａｎｎｅｌｉｚａｔｉｏｎ  ｃｏｄｅ）及び各端末のＩＤであって、各端末別に区分される。Ｅ−ＲＧＣＨとＥ−ＨＩＣＨは、拡散指数１２８のチャネライゼーションコード（ｃｈａｎｎｅｌｉｚａｔｉｏｎ  ｃｏｄｅ）と追加的に長さ４０の直交コードであって、各端末別に区分される。各端末別にどんなチャネライゼーションコード（ｃｈａｎｎｅｌｉｚａｔｉｏｎ  ｃｏｄｅ）と直交コードを使用するかは、前述した図２の２０２段階のＥ−ＤＣＨ設定段階で基地局が端末に別途の制御情報（例えば、上位階層シグナリング）を通じて通知する。
【００３６】
図３は、既存のＳＣ−ＨＳＵＰＡシステムをＤＣ−ＨＳＵＰＡにそのまま拡張して適用した場合のダウンリンク資源運用の一例を示す図である。例えば、Ｅ−ＨＩＣＨあるいはＥ−ＲＧＣＨの場合、１つのチャネライゼーションコード（ｃｈａｎｎｅｌｉｚａｔｉｏｎ  ｃｏｄｅ）に長さ４０の直交コードを使用して最大４０個の端末をサポートすることができる。図３に示す数字は、各々のダウンリンクキャリア別に１つのチャネライゼーションコード（ｃｈａｎｎｅｌｉｚａｔｉｏｎ  ｃｏｄｅ）にＳＣ−ＨＳＵＰＡあるいはＤＣ−ＨＳＵＰＡ端末を各々いくつサポートすることができるかを意味する。図３の基本仮定は、アップリンクキャリア＃１に対応するダウンリンク制御チャネルは、ダウンリンクキャリア＃１  ３０３を通じて伝送され、アップリンクキャリア＃２に対応するダウンリンク制御チャネルは、ダウンリンクキャリア＃２  ３０６を通じて伝送されることを仮定する。
【００３７】
各々のダウンリンクキャリア３０３、３０６で最大サポート可能な端末数が各々４０であり、ダウンリンクキャリア＃１  ３０３で３０個のＳＣ−ＨＳＵＰＡ端末を既にサービスしている状態なら（３０１）、ＤＣ−ＨＳＵＰＡ端末は、最大１０個しかサポートすることができない（３０２、３０５）。図３の仮定で、ＤＣ−ＨＳＵＰＡ端末は、各々のキャリアからダウンリンク制御チャネルを受信しなければならないので、たとえダウンリンクキャリア＃２  ３０６の資源４０個を使用可能であるとしても、ダウンリンクキャリア＃１  ３０３には、１０個の資源しか余分がないので（３０２）、最大１０（＝ｍｉｎ（１０、４０））個のＤＣ−ＨＳＵＰＡ端末しかサポートすることができない。
【００３８】
図３の例示のような資源使用の非効率性を解決するために、本発明の実施例によれば、各々のアップリンクキャリア＃１あるいはアップリンクキャリア＃２に対応するダウンリンク制御チャネルは、ダウンリンクキャリア＃１あるいはダウンリンクキャリア＃２のどこにも伝送されることができるように許容する。また、本発明によれば、基地局は、１つのダウンリンクキャリアを通じて少なくとも２つ以上の制御チャネルを端末に伝送し、前記制御チャネルの各々は、異なるアップリンクキャリアに相当する。ここで、相当するということは、制御チャネルの各々は、アップリンクキャリアに特定されることができる識別情報を有することができることを意味する。
【００３９】
図４は、本発明の実施例による制御チャネルが伝送されるダウンリンク伝送資源を説明するための図である。
図４では、ダウンリンクキャリア＃１  ４０３からＳＣ−ＨＳＵＰＡ端末が既に３０名をサービスしている状態であるとしても（４０１）、ダウンリンクキャリア＃１の余分の１０個の資源４０２及びダウンリンクキャリア＃２の余分の４０個の資源４０４、４０５がすべてＤＣ−ＨＳＵＰＡ端末をサポートすることができる。したがって、この場合、サポート可能なＤＣ−ＨＳＵＰＡ端末は、２５（＝（１０＋４０）／２）個になる。
【００４０】
２５個のＤＣ−ＨＳＵＰＡ端末のうち、１０個に対するダウンリンク制御チャネルは、各々ダウンリンクキャリア＃１及びダウンリンクキャリア＃２に分けて伝送され（４０２、４０５）、残りの１５個に対するダウンリンク制御チャネルは、ダウンリンクキャリア＃２にすべて伝送される（４０４）。すなわち、１つのダウンリンクキャリアを通じて少なくとも２つ以上のダウンリンク制御チャネルが伝送される。
【００４１】
基地局が前記ＤＣ−ＨＳＵＰＡ端末に対するダウンリンク制御チャネルをどのダウンリンクキャリアを通じて伝送するかは、各々のダウンリンクキャリア別に使用可能な制御チャネル伝送用資源、すなわちチャネライゼーションコード（ｃｈａｎｎｅｌｉｚａｔｉｏｎ  ｃｏｄｅ）あるいは直交コードの量によって決定する。そして、基地局は、ＤＣ−ＨＳＵＰＡ端末をサポートするためのダウンリンク制御チャネルをどのダウンリンクキャリアを通じて伝送するかに関する情報を別途の制御情報（シグナリング）を通じて端末に通知する。
【００４２】
ＤＣ−ＨＳＵＰＡ端末であるとしても、端末が伝送するデータ量、チャネル状況などによってＤＣ−ＨＳＵＰＡあるいはＳＣ−ＨＳＵＰＡ方式で動作することができる。例えば、端末が伝送するデータ量が少ない場合には、敢えてＤＣ−ＨＳＵＰＡ方式よりは、ＳＣ−ＨＳＵＰＡ方式で伝送することによって、端末のバッテリー消耗を節約する効果を得ることができる。
【００４３】
このために、本発明の実施例によれば、基地局は、端末にＤＣ−ＨＳＵＰＡ方式で動作するかどうか、またはＳＣ−ＨＳＵＰＡ方式で動作するかどうかに関する情報をシグナリングを通じて通知する。そして、基地局は、前記ＤＣ−ＨＳＵＰＡ端末をサポートするためのダウンリンク制御チャネルをどのダウンリンクキャリアを通じて伝送するかに関する情報とＤＣ−ＨＳＵＰＡ方式で動作するかどうか、またはＳＣ−ＨＳＵＰＡ方式で動作するかどうかに関する情報を端末に一度に通知することによって、追加的なシグナリングオーバーヘッドを減少させる。  
【００４４】
本発明の実施例において、前述したように、基地局が自分がサービスする端末の複数のキャリア使用可否（ＤＣ−ＨＳＵＰＡ方式／ＳＣ−ＨＳＵＰＡ方式）及び複数のキャリア使用可否によって制御チャネル（制御情報）が伝送されるキャリアの位置を通知する情報を“制御チャネル伝送資源情報”と称する。
【００４５】
このような情報は、ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を通じて伝送される。すなわち、本発明の実施例によるＨＳ−ＳＣＣＨを通じて、基地局は、制御チャネル伝送資源情報（ＨＳ−ＳＣＣＨ制御情報）を端末に通知する。
【００４６】
前述したように、制御チャネル伝送資源情報は、端末の複数のキャリア使用可否及び制御チャネルが伝送されるキャリアの位置に関する情報である。さらに詳細には、基地局は、ＤＣ−ＨＳＵＰＡ端末をサポートするためのダウンリンク制御チャネルをどのダウンリンクキャリアを通じて伝送するかに関する情報及びＤＣ−ＨＳＵＰＡ方式で動作するかどうかＳＣ−ＨＳＵＰＡ方式で動作するかどうかについて制御チャネル伝送資源情報を通じて端末に通知する。
【００４７】
このような本発明の実施例によれば、ＨＳ−ＳＣＣＨを通じて次のような情報が伝送される。
【００４８】
ＨＳ−ＳＣＣＨは、別途の追加的なデータチャネルは伴わずに独立的に動作する。ＨＳ−ＳＣＣＨは、全体３７ビットで構成される。最初８ビットは、事前に約束された第１パターンで固定された値を使用する。事前に約束された第１パターンは、“１１１０００００”である。
【００４９】
前記事前に約束された第１パターン８ビット以後、次の６ビットは、事前に約束された第２パターンで固定された値を使用する。前記事前に約束された第２パターンは、“１１１１０１”である。
【００５０】
前記事前に約束された第２パターン６ビット以後、次の３ビットは、事前に約束された第３パターンで固定された値を使用する。前記事前に約束された第３パターンは、“０１０”である。前記第３パターンとして、基地局は、端末に前記ＨＳ−ＳＣＣＨがＤＣ−ＨＳＵＰＡに関する制御情報を含んでいることを通知する。前記第３パターンが“０００”であれば、前記ＨＳ−ＳＣＣＨが端末のバッテリー効率増大のためのＤＲＸ（ｄｉｓｃｏｎｔｉｎｕｏｕｓ  ｒｅｃｅｐｔｉｏｎ）、ＤＴＸ（ｄｉｓｃｏｎｔｉｎｕｏｕｓ  ｔｒａｎｓｍｉｓｓｉｏｎ）動作を指示する用途であることを通知し、前記第３パターンが“００１”であれば、前記ＨＳ−ＳＣＣＨがＤＣ−ＨＳＤＰＡに関する制御情報を含んでいることを通知する。
【００５１】
前記事前に約束された第３パターン３ビット以後、次の３ビットは、具体的にＤＣ−ＨＳＵＰＡの動作を指示する第４パターンであって、次の４つの情報を含む。このような情報は、複数のキャリア使用可否及びどのキャリアを通じて制御チャネル（制御情報）が伝送されるかを通知する情報が含まれる。
−“ＤＣ−ＨＳＵＰＡ不活性化（ｄｅａｃｔｉｖａｔｉｏｎ）”
−“ＤＣ−ＨＳＵＰＡ活性化（ａｃｔｉｖａｔｉｏｎ）タイプ１”
−“ＤＣ−ＨＳＵＰＡ活性化（ａｃｔｉｖａｔｉｏｎ）タイプ２”
−“ＤＣ−ＨＳＵＰＡ活性化（ａｃｔｉｖａｔｉｏｎ）タイプ３”
【００５２】
“ＤＣ−ＨＳＵＰＡ不活性化（ｄｅａｃｔｉｖａｔｉｏｎ）”情報は、たとえ端末がＤＣ−ＨＳＵＰＡサポートが可能であるとしても、前記シグナリングを受信すれば、ＳＣ−ＨＳＵＰＡ方式で動作するように指示する。
【００５３】
“ＤＣ−ＨＳＵＰＡ活性化（ａｃｔｉｖａｔｉｏｎ）タイプ１”は、現在ＳＣ−ＨＳＵＰＡ方式で動作する端末にＤＣ−ＨＳＵＰＡ方式で動作するように指示すると同時に、各々のアップリンクキャリアに対応するダウンリンク制御チャネルは、各々のダウンリンクキャリアを通じて伝送されることを指示する。これは、各々のダウンリンクキャリアに使用可能な資源量が類似の場合に有用である。
【００５４】
“ＤＣ−ＨＳＵＰＡ活性化（ａｃｔｉｖａｔｉｏｎ）タイプ２”は、現在ＳＣ−ＨＳＵＰＡ方式で動作する端末にＤＣ−ＨＳＵＰＡ方式で動作するように指示すると同時に、各々のアップリンクキャリアに対応するダウンリンク制御チャネルは、ダウンリンクキャリア＃２を通じて伝送されることを指示する。これは、各々のダウンリンクキャリアに使用可能な資源量が、ダウンリンクキャリア＃２に多い場合に有用である。
【００５５】
“ＤＣ−ＨＳＵＰＡ活性化（ａｃｔｉｖａｔｉｏｎ）タイプ３”は、現在ＳＣ−ＨＳＵＰＡ方式で動作する端末にＤＣ−ＨＳＵＰＡ方式で動作するように指示すると同時に、各々のアップリンクキャリアに対応するダウンリンク制御チャネルは、ダウンリンクキャリア＃１を通じて伝送されることを指示する。これは、各々のダウンリンクキャリアに使用可能な資源量が、ダウンリンクキャリア＃１に多い場合に有用である。
【００５６】
前記３ビットで構成される第４パターン以後、次の１ビットは、ｒｅｓｅｒｖｅｄされる。そして前述した第１、第２、第３、第４パターン及び前記追加的な１ビットは、制御情報入力で生成したＣＲＣ１６ビットを端末識別子（ＵＥ−ＩＤ）１６ビットとＸＯＲ演算して生成する。基地局は、このように生成した全体３７ビット制御情報を畳み込み符号化して端末に伝送する。
【００５７】
前述したように、本発明の実施例による制御チャネル伝送資源情報は、ＨＳ−ＳＣＣＨを通じて伝送され、このような理由で、ＨＳ−ＳＣＣＨ制御情報と混用して使用する。特に、ＨＳ−ＳＣＣＨ制御情報の第４パターンには、端末の複数のキャリア使用可否及び制御情報が伝送されるキャリアの位置を通知する情報が含まれる。
【００５８】
以下では、前述したように動作するＤＣ−ＨＳＵＰＡシステムで基地局の制御情報伝送方法について説明する。図５は、本発明の実施例による基地局の制御情報伝送方法を説明するための流れ図である。
【００５９】
図５を参照すれば、基地局は、５０１段階で、Ｅ−ＤＣＨの設定を行う。ここで、各端末別にＥ−ＤＣＨのダウンリンク制御チャネルであるＥ−ＡＧＣＨ、Ｅ−ＲＧＣＨ、Ｅ−ＨＩＣＨなどの資源を割り当てる。ＤＣ−ＨＳＵＰＡをサポートする端末には、アップリンクキャリア＃１に対応するＥ−ＤＣＨダウンリンク制御チャネルの資源（以下、便宜上、“資源＃１”という）を割り当て、アップリンクキャリア＃２に対応するＥ−ＤＣＨダウンリンク制御チャネルの資源（以下、便宜上、“資源＃２”という）を共に割り当てる。前記“資源＃１”と“資源＃２”は、相互間に重複しないようにして、前記Ｅ−ＤＣＨダウンリンク制御チャネルがダウンリンクキャリア＃１にすべて伝送されるか、あるいはダウンリンクキャリア＃２にすべて伝送される場合を容易にする。
【００６０】
基地局は、５０２段階で、端末から端末送信電力情報、端末が送信することができる余分の電力情報、端末のバッファーに積もっている送信すべきデータの量などを含むスケジューリング情報を獲得する。
【００６１】
スケジューリング情報を獲得した基地局は、５０３段階で、前記獲得したスケジューリング情報から各端末に対するＤＣ−ＨＳＵＰＡ方式を決定する。ＤＣ−ＨＳＵＰＡ方式は、第一に、ＳＣ−ＨＳＵＰＡ方式、すなわち、ＤＣ−ＨＳＵＰＡ不活性化方式、第二に、ＤＣ−ＨＳＵＰＡ活性化タイプ１方式、第三に、ＤＣ−ＨＳＵＰＡ活性化タイプ２方式、第四に、ＤＣ−ＨＳＵＰＡ活性化タイプ３方式を含む。
【００６２】
“ＳＣ−ＨＳＵＰＡ方式（“ＤＣ−ＨＳＵＰＡ不活性化”）”方式として決定した場合、基地局は、５０４段階で、当該方式を指示するＨＳ−ＳＣＣＨ制御情報を生成し、５０５段階で、ＨＳ−ＳＣＣＨを端末に伝送する。その後、基地局は、５０６段階で、ダウンリンクキャリア＃１を通じてアップリンクキャリア＃１に対応するＥ−ＤＣＨ制御チャネルを伝送する。
【００６３】
“ＤＣ−ＨＳＵＰＡ活性化タイプ１”方式として決定した場合、基地局は、５０７段階で、当該方式を指示するＨＳ−ＳＣＣＨ制御情報を生成し、５０８段階で、ＨＳ−ＳＣＣＨを端末に伝送する。その後、基地局は、５０９段階で、ダウンリンクキャリア＃１を通じてアップリンクキャリア＃１に対応するＥ−ＤＣＨ制御チャネルを伝送し、ダウンリンクキャリア＃２を通じてアップリンクキャリア＃２に対応するＥ−ＤＣＨ制御チャネルを伝送する。
【００６４】
“ＤＣ−ＨＳＵＰＡ活性化タイプ２”方式として決定した場合、基地局は、５１０段階で、当該方式を指示するＨＳ−ＳＣＣＨ制御情報を生成し、５１１段階で、ＨＳ−ＳＣＣＨを端末に伝送する。その後、基地局は、５１２段階で、ダウンリンクキャリア＃２を通じてアップリンクキャリア＃１に対応するＥ−ＤＣＨ制御チャネルとアップリンクキャリア＃２に対応するＥ−ＤＣＨ制御チャネルをすべて伝送する。
【００６５】
“ＤＣ−ＨＳＵＰＡ活性化タイプ３”方式として決定した場合、基地局は、５１３段階で、当該方式を指示するＨＳ−ＳＣＣＨ制御情報を生成し、５１４段階で、ＨＳ−ＳＣＣＨを端末に伝送する。その後、基地局は、５１５段階で、ダウンリンクキャリア＃１を通じてアップリンクキャリア＃１に対応するＥ−ＤＣＨ制御チャネルとアップリンクキャリア＃２に対応するＥ−ＤＣＨ制御チャネルをすべて伝送する。
【００６６】
前述したような基地局の制御情報伝送方法に対応してＤＣ−ＨＳＵＰＡシステムで端末がＥ−ＤＣＨ制御情報を受信する方法について説明する。図６は、本発明の実施例による端末の制御情報受信方法を説明するための流れ図である。
【００６７】
図６を参照すれば、端末は、６００段階で、基地局から前記Ｅ−ＤＣＨ設定情報を獲得する。端末は、前記設定情報からＥ−ＤＣＨダウンリンク制御チャネルの資源情報を知ることができる。端末は、６０１段階で、基地局にスケジューリング情報を伝送する。その後、端末は、６０２段階で、ＨＳ−ＳＣＣＨを受信し、ＤＣ−ＨＳＵＰＡ方式に関する情報を獲得する。端末は、６０３段階で、前記獲得した制御情報のうち第４パターンの値によって、ＤＣ−ＨＳＵＰＡ方式を認知し、ＤＣ−ＨＳＵＰＡ方式によって、６０４、６０６、６０８または６１０段階に分岐する。
【００６８】
前記第４パターンの値が“ＳＣ−ＨＳＵＰＡ方式（“ＤＣ−ＨＳＵＰＡ不活性化”）”を指示する場合、端末は、６０４段階で、ＤＣ−ＨＳＵＰＡが不活性化されたことを認知し、６０５段階で、ダウンリンクキャリア＃１を通じてアップリンクキャリア＃１に対応するＥ−ＤＣＨ制御チャネルを受信する。一方、前記第４パターンの値が“ＤＣ−ＨＳＵＰＡ活性化タイプ１”方式を指示する場合、端末は、６０６段階で、ダウンリンクキャリア＃１を通じてアップリンクキャリア＃１に対応するＥ−ＤＣＨ制御チャネルが伝送され、ダウンリンクキャリア＃２を通じてアップリンクキャリア＃２に対応するＥ−ＤＣＨ制御チャネルが伝送されることを知ることができる。したがって、端末は、６０７段階で、ダウンリンクキャリア＃１を通じてアップリンクキャリア＃１に対応するＥ−ＤＣＨ制御チャネルを受信し、ダウンリンクキャリア＃２を通じてアップリンクキャリア＃２に対応するＥ−ＤＣＨ制御チャネルを受信する。
【００６９】
また、前記第４パターンの値が“ＤＣ−ＨＳＵＰＡ活性化タイプ２”方式を指示する場合、端末は、６０８段階で、ダウンリンクキャリア＃２を通じてアップリンクキャリア＃１及びアップリンクキャリア＃２に各々対応するＥ−ＤＣＨ制御チャネルがすべて伝送されることを認知する。その後、端末は、６０９段階で、ダウンリンクキャリア＃２を通じてアップリンクキャリア＃１に対応するＥ−ＤＣＨ制御チャネルとアップリンクキャリア＃２に対応するＥ−ＤＣＨ制御チャネルをすべて受信する。
【００７０】
そして、前記第４パターンの値が“ＤＣ−ＨＳＵＰＡ活性化タイプ３”方式を指示する場合、端末は、６１０段階で、各々のアップリンクキャリア＃１及び＃２に対応するダウンリンク制御チャネルがダウンリンクキャリア＃１を通じて伝送されることを認知する。これにより、端末は、６１１段階で、ダウンリンクキャリア＃１を通じてアップリンクキャリア＃１に対応するＥ−ＤＣＨ制御チャネルとアップリンクキャリア＃２に対応するＥ−ＤＣＨ制御チャネルを共に受信する。
【００７１】
次に、本発明の実施例による基地局のＥ−ＤＣＨダウンリンク制御情報伝送装置について説明する。図７は、本発明の実施例による基地局の制御情報伝送装置を説明するための図である。
【００７２】
図７を参照すれば、本発明の実施例による基地局の制御情報伝送装置は、Ｅ−ＤＣＨスケジューラ（以下、“スケジューラ”という）７０２、ＨＳ−ＳＣＣＨ制御情報生成部７０４、ＨＳ−ＳＣＣＨチャネルコーディング７０６、ＨＳ−ＳＣＣＨ送信部７０８、ＤＣ−ＨＳＵＰＡ制御器（以下、“制御器”という）７０９、Ｅ−ＡＧＣＨ制御情報生成部７１０、Ｅ−ＡＧＣＨチャネルコーディング部７１２、Ｅ−ＡＧＣＨ送信部７１４、Ｅ−ＲＧＣＨ制御情報生成部７１６、Ｅ−ＲＧＣＨ送信部７１８、Ｅ−ＨＩＣＨ制御情報生成部７２０及びＥ−ＨＩＣＨ送信部７２２を含む。
【００７３】
ここで、ＨＳ−ＳＣＣＨ制御情報生成部７０４、ＨＳ−ＳＣＣＨチャネルコーディング部７０６及びＨＳ−ＳＣＣＨ送信部７０８は、制御チャネル伝送資源情報を生成し伝送するための制御チャネル伝送資源処理モジュールであり、Ｅ−ＡＧＣＨ制御情報生成部７１０、Ｅ−ＡＧＣＨチャネルコーディング部７１２、Ｅ−ＡＧＣＨ送信部７１４、Ｅ−ＲＧＣＨ制御情報生成部７１６、Ｅ−ＲＧＣＨ送信部７１８、Ｅ−ＨＩＣＨ制御情報生成部７２０及びＥ−ＨＩＣＨ送信部７２２は、制御情報を生成し伝送するための制御情報処理モジュールである。
【００７４】
スケジューラ７０２は、端末から受信したスケジューリング情報７０３を利用して各端末に対するスケジューリングを行う。
【００７５】
制御器７０９は、スケジューラ７０２からスケジューリング結果を入力されて、制御チャネル伝送資源情報であるＤＣ−ＨＳＵＰＡ方式を決定する。すなわち、制御器７０９は、“ＳＣ−ＨＳＵＰＡ”方式、“ＤＣ−ＨＳＵＰＡ活性化タイプ１”方式、“ＤＣ−ＨＳＵＰＡ活性化タイプ２”方式、“ＤＣ−ＨＳＵＰＡ活性化タイプ３”方式のうちいずれか１つの方式として決定する。
【００７６】
制御チャネル伝送資源処理モジュール７１は、制御器７０９が決定したＤＣ−ＨＳＵＰＡ方式によって、すなわち複数のアップリンクキャリア使用可否を含む制御チャネル伝送資源情報を生成し、これを各端末に伝送する。このような制御チャネル伝送資源処理モジュール７１の各構成についてさらに詳しく説明する。
【００７７】
ＨＳ−ＳＣＣＨ制御情報生成部７０４は、制御器７０９が決定したＤＣ−ＨＳＵＰＡ方式に該当するＨＳ−ＳＣＣＨ制御情報（制御チャネル伝送資源情報）を生成する。ＨＳ−ＳＣＣＨチャネルコーディング部７０６は、ＨＳ−ＳＣＣＨ制御情報生成部７０４が生成したＨＳ−ＳＣＣＨ制御情報を畳み込み符号化して出力する。
【００７８】
引き続いて、ＨＳ−ＳＣＣＨ送信部７０８は、畳み込み符号化されたＨＳ−ＳＣＣＨ制御情報をスプレディング／スクランブリングなどの動作及びＲＦプロセッシングを経て端末に伝送する。
【００７９】
一方、制御情報処理モジュール７２は、基地局が１つのダウンリンクキャリアを通じて少なくとも２つ以上の制御チャネルを伝送するように制御する。すなわち、制御情報処理モジュール７２は、制御器７０９が決定した制御チャネル伝送資源情報であるＤＣ−ＨＳＵＰＡ方式によって、ＡＧ情報、ＲＧ情報、及び再伝送（ＡＣＫ／ＮＡＣＫ）情報を含む各々の制御チャネルを割り当てられた１つのダウンリンクキャリアを通じて伝送する。以下では、このような制御情報処理モジュールの各構成についてさらに詳しく説明する。
【００８０】
Ｅ−ＡＧＣＨ制御情報生成部７１０は、Ｅ−ＤＣＨスケジューラ７０２からスケジューリング結果を入力されて、ＡＧ（Ａｂｓｏｌｕｔｅ  ｇｒａｎｔ）情報を生成する。
【００８１】
Ｅ−ＡＧＣＨチャネルコーディング部７１２は、Ｅ−ＡＧＣＨ制御情報生成部７１０が生成したＡＧ情報を畳み込み符号化する。
【００８２】
Ｅ−ＡＧＣＨ送信部７１４は、畳み込み符号化されたＡＧ情報をスプレディング／スクランブリングなどの動作及びＲＦプロセッシングを経て端末に伝送する。この際、Ｅ−ＡＧＣＨ送信部７１４は、ＤＣ−ＨＳＵＰＡ制御器７０９からアップリンクキャリア＃１及びアップリンクキャリア＃２に対応する各々のＥ−ＡＧＣＨをどのダウンリンクキャリアを通じて伝送するかを通知する情報とＥ−ＡＧＣＨ伝送に使用される資源情報を入力される。これにより、Ｅ−ＡＧＣＨ送信部７１４は、入力された情報によってＡＧ情報に対するプロセッシングを行い、端末に伝送する。
【００８３】
Ｅ−ＲＧＣＨ制御情報生成部７１６は、Ｅ−ＤＣＨスケジューラ７０２からスケジューリング結果を入力されて、ＲＧ（Ｒｅｌａｔｉｖｅ  ｇｒａｎｔ）情報を生成する。
【００８４】
Ｅ−ＲＧＣＨ送信部７１８は、Ｅ−ＲＧＣＨ制御情報生成部７１６が生成したＲＧ情報を直交コードマッピング／スプレディング／スクランブリングなどの動作及びＲＦプロセッシングを経て端末に伝送する。この際、Ｅ−ＲＧＣＨ送信部７１８は、ＤＣ−ＨＳＵＰＡ制御器７０９からアップリンクキャリア＃１及びアップリンクキャリア＃２に対応する各々のＥ−ＲＧＣＨをどのダウンリンクキャリアを通じて伝送するかを通知する情報とＥ−ＲＧＣＨ伝送に使用される資源情報を入力される。これにより、Ｅ−ＲＧＣＨ送信部７１８は、入力された情報によってＲＧ情報に対するプロセッシングを行い、端末に伝送する。
【００８５】
Ｅ−ＨＩＣＨ制御情報生成部７２０は、アップリンクデータデコーディング情報７１９を入力されて、再伝送可否を通知する再伝送（ＡＣＫ／ＮＡＣＫ）情報を生成する。
【００８６】
Ｅ−ＨＩＣＨ送信部７２２は、生成した再伝送（ＡＣＫ／ＮＡＣＫ）情報を直交コードマッピング／スプレディング／スクランブリングなどの動作及びＲＦプロセッシングを経て端末に伝送する。この際、Ｅ−ＨＩＣＨ送信部７２２は、ＤＣ−ＨＳＵＰＡ制御器７０９からアップリンクキャリア＃１及びアップリンクキャリア＃２に対応する各々のＥ−ＨＩＣＨをどのダウンリンクキャリアを通じて伝送するかを通知する情報とＥ−ＨＩＣＨ伝送に使用される資源情報を入力される。これにより、Ｅ−ＨＩＣＨ送信部７２２は、入力された情報によって再伝送情報に対するプロセスを行い、端末に伝送する。
【００８７】
次に、本発明の実施例による端末のＥ−ＤＣＨダウンリンク制御情報受信装置について説明する。図８は、本発明の実施例による端末の制御情報受信装置を説明するための図である。図８を参照すれば、本発明の実施例による制御情報受信装置は、ＤＣ−ＨＳＵＰＡ制御器（以下、“制御器”という）８０２、ＨＳ−ＳＣＣＨ制御情報獲得器８０４、ＨＳ−ＳＣＣＨチャネルデコーディング部８０６、ＨＳ−ＳＣＣＨ受信部８０８、Ｅ−ＡＧＣＨ制御情報獲得器８１０、Ｅ−ＡＧＣＨチャネルデコーディング部８１２、Ｅ−ＡＧＣＨ受信部８１４、Ｅ−ＲＧＣＨ制御情報獲得器８１６、Ｅ−ＲＧＣＨ受信部８１８、Ｅ−ＨＩＣＨ制御情報獲得器８２０、及びＥ−ＨＩＣＨ受信部８２２を含む。
【００８８】
ここで、ＨＳ−ＳＣＣＨ制御情報獲得器８０４、ＨＳ−ＳＣＣＨチャネルデコーディング部８０６及びＨＳ−ＳＣＣＨ受信部８０８は、制御チャネル伝送資源受信モジュール８１に含まれる。また、Ｅ−ＡＧＣＨ制御情報獲得器８１０、Ｅ−ＡＧＣＨチャネルデコーディング部８１２、Ｅ−ＡＧＣＨ受信部８１４、Ｅ−ＲＧＣＨ制御情報獲得器８１６、Ｅ−ＲＧＣＨ受信部８１８、Ｅ−ＨＩＣＨ制御情報獲得器８２０、及びＥ−ＨＩＣＨ受信部８２２は、制御情報受信モジュール８２に含まれる。
【００８９】
制御チャネル伝送資源受信モジュール８１は、基地局から複数のアップリンクキャリア使用可否を含む制御情報を受信する。より具体的に、制御チャネル伝送資源スシンモドル８１は、ＨＳ−ＳＣＣＨを通じて制御チャネル伝送資源情報（ＨＳ−ＳＣＣＨ制御情報）を受信し、制御チャネル伝送資源情報を獲得する役目を行う。このような制御チャネル伝送資源受信モジュール８１の各構成は、次の通りである。
【００９０】
ＨＳ−ＳＣＣＨ受信部８０８は、ＨＳ−ＳＣＣＨを受信し、デスクランブリング／デスプレディングする。ＨＳ−ＳＣＣＨチャネルデコーディング部８０６は、ＨＳ−ＳＣＣＨをデコーディングする。ＨＳ−ＳＣＣＨ制御情報獲得器８０４は、ＨＳ−ＳＣＣＨチャネルデコーディング部８０６がデコーディングしたＨＳ−ＳＣＣＨから制御チャネル伝送資源情報を獲得する。すなわち、ＨＳ−ＳＣＣＨ制御情報獲得器８０４は、複数のキャリア使用可否及び制御情報が伝送されるキャリアの位置を通知するＤＣ−ＨＳＵＰＡ方式に関する情報を獲得する。その後、ＨＳ−ＳＣＣＨ制御情報獲得器８０４は、獲得した制御チャネル伝送資源情報を制御器８０２に入力する。
【００９１】
制御器８０２は、スケジューリング情報を基地局に伝送するように制御する。また、本発明の制御器８０２は、入力された制御チャネル伝送資源情報によって制御情報受信モジュール８２を制御する。制御情報受信モジュール８２は、基地局から１つのダウンリンクキャリアを通じて少なくとも２つ以上の制御チャネルを受信する。すなわち、制御情報受信モジュール８２は、制御器８０２の制御によって制御チャネル伝送資源情報が指示するキャリアの位置で制御情報を受信する。このような制御情報受信モジュール８２の各構成は、次の通りである。
【００９２】
Ｅ−ＡＧＣＨ受信部８１４は、前記制御器８０２からＥ−ＡＧＣＨをダウンリンクキャリア＃１あるいはダウンリンクキャリア＃２のうちいずれかのキャリアから受信すべきかに関する情報及びどの資源を通じて受信すべきかに関する情報を受信し、受信した情報によって当該キャリア及び資源を通じてＥ−ＡＧＣＨを受信し、受信したＥ−ＡＧＣＨをデスクランブリング／デスプレディングして出力する。Ｅ−ＡＧＣＨチャネルデコーディング部８１２は、Ｅ−ＡＧＣＨをデコーディングして出力する。引き続いて、Ｅ−ＡＧＣＨ制御情報獲得器８１０は、Ｅ−ＡＧＣＨのＡＧ値を獲得する。
【００９３】
Ｅ−ＲＧＣＨ受信部８１８は、前記制御器８０２からＥ−ＲＧＣＨをダウンリンクキャリア＃１あるいはダウンリンクキャリア＃２のうちいずれかのキャリアから受信すべきかに関する情報及びどの資源を通じて受信すべきかに関する情報を受信し、受信した情報によって当該キャリア及び資源を通じてＥ−ＲＧＣＨを受信し、受信したＥ−ＲＧＣＨをデスクランブリング／デスプレディングして出力する。Ｅ−ＲＧＣＨ制御情報獲得器８１６は、Ｅ−ＲＧＣＨでＲＧ値を獲得する。
【００９４】
Ｅ−ＨＩＣＨ受信部８２２は、前記制御器８０２からＥ−ＨＩＣＨをダウンリンクキャリア＃１あるいはダウンリンクキャリア＃２のうちいずれかのキャリアから受信すべきかに関する情報及びどの資源を通じて受信すべきかに関する情報を受信し、受信した情報によってＥ−ＨＩＣＨをデスクランブリング／デスプレディングして出力する。Ｅ−ＨＩＣＨ制御情報獲得器８２０は、Ｅ−ＨＩＣＨで再伝送情報であるＡＣＫ／ＮＡＣＫ値を獲得する。
【００９５】
一方、本発明の詳細な説明では、具体的な実施例に関して説明したが、本発明の範囲を逸脱しない範囲内で様々な変形が可能であることは勿論である。例えば、搬送波結合（ｃａｒｒｉｅｒ  ａｇｇｒｅｇａｔｉｏｎ）をサポートするＬＴＥ−Ａシステムにも適用可能である。したがって、本発明の範囲は、説明された好ましい実施例に限定されず、後述する特許請求の範囲だけでなく、この特許請求の範囲と均等なものなどによって定められなければならない。
【符号の説明】
【００９６】
７０２  Ｅ−ＤＣＨスケジューラ
７０４  ＨＳ−ＳＣＣＨ制御情報生成部
７０６  ＨＳ−ＳＣＣＨチャネルコーディング
７０８  ＨＳ−ＳＣＣＨ送信部
７０９  ＤＣ−ＨＳＵＰＡ制御器
７１０  Ｅ−ＡＧＣＨ制御情報生成部
７１２  Ｅ−ＡＧＣＨチャネルコーディング部
７１４  Ｅ−ＡＧＣＨ送信部
７１６  Ｅ−ＲＧＣＨ制御情報生成部
７１８  Ｅ−ＲＧＣＨ送信部
７２０  Ｅ−ＨＩＣＨ制御情報生成部
７２２  Ｅ−ＨＩＣＨ送信部
【図１】
0005603405.tif 000002
【図２】
0005603405.tif 000003
【図３】
0005603405.tif 000004
【図４】
0005603405.tif 000005
【図５】
0005603405.tif 000006
【図６】
0005603405.tif 000007
【図７】
0005603405.tif 000008
【図８】
0005603405.tif 000009